(57)【特許請求の範囲】
【請求項１】
システム制御に用いられるためにラックに組み入れられる産業用コンピュータであって、
前記産業用コンピュータのコンピュータ本体は、
マウス保管のための前記コンピュータ本体の前面に形成されたハウジングと、
前記コンピュータ本体のハウジングにガイドレールによって案内されてスプリングの復元力によって前後に並進動作し、プーリーを通じて前記スプリングによって前記ハウジングと接続されており、引き出される場合に前記ハウジングから完全に脱落することを防止するストッパ手段を備えており、コンピュータ本体内側から連結されたままのマウスを収容した状態で並進動作可能なマウスラックと、
外部環境から前記マウスラックおよび前記コンピュータ本体を保護するために前記ハウジングの前部に設けられて、溝と復元力を加えるためのスプリングとを備える円弧状のガイドにしたがって回動して開閉する一方、前記溝内にある球体によって閉状態を維持するカバーと、を含むことを特徴とする内蔵型マウスラックを具備したコンピュータ。
【請求項２】
前記マウスラックは、マウスを完全に内側に保持できるように選択された垂直方向の深さを持った引き出し構造をしている請求項１に記載のコンピュータ。
【請求項３】
システム制御に用いられるためにラックに組み入れられる産業用コンピュータであって、
前記産業用コンピュータのコンピュータ本体は、
マウス保管のための前記コンピュータ本体の前面に形成されたハウジングと、
前記コンピュータ本体のハウジングにガイドレールによって案内されて前後に並進動作し、当該並進動作は、電気モータによって駆動され、一双のストッパによって完全に引き出された状態または完全に閉状態となり、コンピュータ本体内側から連結されたままのマウスを収容した状態で並進動作可能なマウスラックと、
外部環境から前記マウスラックおよび前記コンピュータ本体を保護するために前記ハウジングの前部に設けられて、溝と復元力を加えるためのスプリングとを備える円弧状のガイドにしたがって回動して開閉する一方、前記溝内にある球体によって閉状態を維持するカバーと、を含むことを特徴とする内蔵型マウスラックを具備したコンピュータ。
【請求項４】
システム制御に用いられるためにラックに組み入れられる産業用コンピュータであって、
前記産業用コンピュータのコンピュータ本体は、
マウス保管のための前記コンピュータ本体の前面に形成されたハウジングと、
前記ハウジングに対する並進動作を通じて、前記マウス使用時のための引き出し動作とマウス使用後の格納のための閉動作が可能となるように装着され、前記コンピュータ本体内部に連結されたままのマウスを収容した状態で並進動作可能なマウスラックと、
前記ハウジングと前記マウスラックの間にプーリーを通じて弾性復元力を提供して、マウスラックを引き出しまたは閉じるために並進運動の駆動力を与えるスプリングと、
前記マウスラックの並進運動を案内し、表面に鋸歯が形成されているガイドレールと、
前記ガイドレールの鋸歯と噛み合わされて回転して、前記マウスラックの並進動作を制御する回転手段と、
前記マウスラックの引き出し動作時に、前記マウスラックが前記ハウジングから完全に脱落することを防止するストッパと、
前記マウスラックの背面側および前記ハウジングにそれぞれ設けれられたオス型ラッチおよびメス型ラッチを含み、マウスラックが引き出されている状態で当該マウスラックへ力が加えられて押し戻された場合には、前記オス型ラッチと前記メス型ラッチが噛み合わされて当該マウスラックを前記弾性復元力に対抗してハウジング内に固定された閉状態を維持することができる一方、閉状態のマウスラックに押す力が加えられた場合には、前記オス型ラッチが前記メス型ラッチから脱着されて、当該マウスラックに作用する前記スプリングの弾性復元力により前記ハウジングから前記マウスラックが引き出されるように構成されたロック手段と、を含むことを特徴とする内蔵型マウスラックを具備したコンピュータ。
【請求項５】
さらに、外部環境から前記マウスラックおよびコンピュータ本体を保護するために前記ハウジングの前部に設けられて、溝と復元力を加えるためのスプリングとを備える円弧状のガイドにしたがって回動して開閉する一方、前記溝内にある球体によって閉状態を維持するカバーを有することを特徴とする請求項４に記載のコンピュータ。
【請求項６】
前記回転手段は、前記マウスラックが前記ハウジングから引き出される場合に、前記マウスラックの急激な開放を防止するためのダンパ手段をさらに含んでいることを特徴とする請求項４に記載のコンピュータ。
【請求項７】
システム制御に用いられるためにラックに組み入れられる産業用コンピュータであって、
前記産業用コンピュータのコンピュータ本体は、
マウス保管のための前記コンピュータ本体の前面に形成されたハウジングと、
前記ハウジングに対する並進動作を通じて、前記マウス使用時のための引き出し動作とマウス使用後の格納のための閉動作が可能となるように装着され、前記コンピュータ本体内部に連結されたままのマウスを収容した状態で並進動作可能なマウスラックと、
前記マウスラックの前記並進動作のための駆動力を提供する電気モータと、
前記マウスラックの並進運動を案内し、表面に鋸歯が形成されているガイドレールと、
前記ガイドレールの鋸歯に噛み合わされて回転しつつ、前記モータからの回転トルクを受け取る回転手段と、
前記マウスラックの引き出し動作時に、前記マウスラックが前記ハウジングから完全に脱落することを防止するために、前記マウスラックに設けられたマウスラック前進ストッパスイッチと、前記ハウジングに設けられたマウスラック前進ストッパとを有しており、前記マウスラックの引き出し動作時に前記マウスラックが所定の位置に到達する場合に前記マウス前進ストッパスイッチと前記マウスラック前進ストッパとが互いに接触することで、前記マウスラック前進スイッチがオフされ、電気モータを駆動する駆動回路の動作を停止させるマウスラック前進ストッパ手段と、
前記マウスラックの閉動作時に、マウスラックを所定の位置まで並進動作させるように、前記マウスラックに設けられたマウスラック後進ストッパスイッチと、前記ハウジングに設けられたマウスラック後進ストッパとを有しており、前記マウスラックの閉動作時に前記マウスラックが所定の位置に到達する場合に前記マウス後進ストッパスイッチと前記マウスラック後進ストッパとが互いに接触することで、前記マウスラック後進スイッチがオフされ、電気モータを駆動する駆動回路の動作を停止させるマウスラック後進ストッパ手段と、
マウスラックの動作を開始するためのスイッチと、を含むことを特徴とする内蔵型マウスラックを具備したコンピュータ。
【請求項８】
さらに、外部環境から前記マウスラックおよびコンピュータ本体を保護するために前記ハウジングの前部に設けられて、溝と復元力を加えるためのスプリングとを備える円弧状のガイドにしたがって回動して開閉する一方、前記溝内にある球体によって閉状態を維持するカバーを有することを特徴とする請求項７に記載のコンピュータ。
【発明の詳細な説明】
【０００１】
技術分野
本発明は、コンピュータへの入力装置、特に、入力装置であるマウスを、コンピュータのユーザが巧みに操作することを可能にする内蔵型マウスラックに関する。
【０００２】
背景技術
３０年以上も前から、プログラム機能にアクセスするためのマウス、トラックボール、タッチパッド、およびスタイラスポインタなどのような様々なポインティングデバイスを開発する努力がされている。
【０００３】
特に、グラフィックユーザインターフェース（ＧＵＩ）環境におけるマルチタスクに関連して、運用システム上、ポインティングデバイスは、入力装置としてキーボードと同じように必要不可欠なものとなってきている。
【０００４】
様々なポインティングデバイスのうちで、マウスは、その簡易性および十分な操作性に起因して、最も一般的なパーソナルコンピュータ用のポインティングデバイスであるといえる。したがって、デスクトップコンピュータにはマウスが接続されていることが一般的である。通常、マウスは、デスクトップコンピュータの側に置かれ、特に平坦面に置かれる。
【０００５】
かかる平坦面は、コンピュータに入力するためにユーザによる動作に伴ってマウスが面上を移動するマウスパットとして提供される。コンピュータ上で位置を指定することが可能である、いくつかのデバイスが開発されている。
【０００６】
例えば、米国特許特許５，８０５，１３９号および５，８６１，８７３号には、コンピュータのポインティングデバイスの改良技術が開示されている。
【０００７】
ところで、パーソナルコンピュータの市場の急成長分野に、電子システムの制御に用いられる産業用コンピュータがある。
【０００８】
セキュリティシステム等のシステムを制御する産業用コンピュータは、狭いスペースを活用するためにラックに組み入れられることが多い。この場合、産業用コンピュータのポインティングデバイスとして通常のマウスを使用可能にするためには、机上のスペースを利用できないことに鑑み、マウスを操作するための作業スペースが必要となる。
【０００９】
さらに、機械システムを制御する産業用コンピュータは、通常、劣悪な環境で使用されることが多く、ダストにさらされることは、マウスを備えるコンピュータの性能を危険な程度まで劣化させる。
【００１０】
発明の開示
このような問題に関して、システムの制御に用いられるためにラックに組み入れられる産業用コンピュータに関する技術が必要となる。
【００１１】
本発明の目的は、マウスの作業スペースを提供することができる内蔵型マウスラックを備えたコンピュータを提供することである。
【００１２】
本発明の他の目的は、マウスを使用しない間にマウスを格納することができるスペースを備えるコンピュータを提供することである。
【００１３】
本発明の主要な目的は、内蔵型マウスラックを備えるコンピュータおよびその操作方法を提供することである。
【００１４】
本発明の内蔵型マウスラックを含むコンピュータは、マウスを格納するためのハウジングを前面に備える本体と、マウスを収容するためのハウジング内にあるスライド式のマウスラックとを備える。
【００１５】
本発明におけるコンピュータは、さらに、ダストからマウスラックを保護するためのヒンジ付きカバーを備える。
【００１６】
本発明におけるスライド式のマウスラックは、本体にあるハウジングから十分に引き出すことができ、マウスラックの平坦面は、マウスを自由に動かすことができる作業スペースを提供することができる。
【００１７】
さらに、本発明におけるスライド式のマウスラックは、マウスを使用しないときはハウジング内の収容位置に戻しておくことができ、劣悪な環境から保護される。
【００１８】
本発明における内蔵型マウスラックの好ましい実施形態として、マウスを収容し、マウスを動かすことができる作業スペースを提供するための引き出し構造が与えられる。
【００１９】
この場合、引き出し構造の垂直方向の深さは、マウスが外に出ないように慎重に設計されるべきである。
【００２０】
本発明における内蔵型マウスラックの他の好ましい実施形態として、内蔵型マウスラックは、並進動作によってハウジングに対して前後に移動することができる。
【００２１】
この場合、マウスラックの並進動作の駆動力は、スプリングによる復元力、または電気モータによる電気的な駆動力とすることができる。
【００２２】
図面の簡単な説明
本発明の特徴は、本発明の好ましい実施形態についての添付図面を用いた内蔵型マウスラックを備えたコンピュータの説明によって明らかにされるが、本発明はこれに限定されるべきものではなく、図面は、発明の説明および理解のためだけに用いられる。
【００２３】
図１Ａおよび図１Ｂは、本発明におけるコンピュータの内蔵型マウスラックに関する第１の実施形態を説明する概略図である。
【００２４】
図２Ａおよび図２Ｂは、本発明におけるコンピュータの内蔵型マウスラックに関する第２の実施形態を説明する概略図である。
【００２５】
図３Ａ〜図３Ｅは、発明におけるコンピュータの内蔵型マウスラックに関する第２の実施形態を説明する詳細な図である。
【００２６】
図４Ａおよび図４Ｂは、本発明におけるコンピュータの内蔵型マウスラックに関する第３の実施形態を説明する概略図である。
【００２７】
図５Ａ〜図５Ｃは、本発明におけるトラックボール、トラックパッド、およびトラックポイント用の内蔵型マウスラックの好ましい実施形態を説明する概略図である。
【００２８】
本発明を実施するための最良の形態
本発明は、添付図面を参照しつつ、詳細に説明される。
【００２９】
図１Ａおよび図１Ｂは、本発明におけるコンピュータの内蔵型マウスラックに関する第１の実施形態を説明する概略図である。図１Ａが参照されるように、ハウジング１０Ａは、コンピュータ１０の前面に形成されている。
【００３０】
ハウジング１０Ａは、コンピュータ１０内部のメインユニット（重要機能部、main unit）から分離された個別スペースである。したがって，ハウジング１０Ａは、ダストなどの外部環境からメインユニットを保護している。
【００３１】
ハウジング１０Ａの形状寸法は、マウスを動かすことができる最小限のサイズになるように慎重に設計する。また、本体１０のハウジング１０Ａ内のマウスＭに適するマウスラック１２は、ユーザがマウスを使用できるために前後にスライドできるように構成される。
【００３２】
マウスラック１２の材料の好ましい実施形態として、プラスチックが用いられる。本発明の他の好ましい実施形態として、ガイドレールを用いることができ、マウスラック１２の相対的なスライド動作で生じる摩擦によって本体１０が損傷を受けることを防止することができる。
【００３３】
好ましくは、マウスラック１２の前側にハンドルを設けることができる。また、ハウジング１０Ａの入口部の縦方向の寸法よりもマウスラック１２の垂直方向の深さ寸法を小さくすることが望ましい。
【００３４】
この場合、マウスラック１２の深さは、マウスＭをマウスラック内で操作するのに不便でなく、かつマウスラック内に保持できる程度に、最小化すべきである。より詳しくは、マウスラックの垂直方向の深さは、マウスラック内に置かれる可能性があるマウスパッドについても考慮して選択すべきである。
【００３５】
ただし、マウスラック１２の深さは１０ｍｍ以内にすべきである。マウスＭと前記本体部とは、本発明のマウスラック１２のスペースを通じて内側から電気的に接続される。
【００３６】
この場合、マウスＭを電気的に接続するための入力ポートは、他の部分との干渉を避けるためにハウジング１０Ａの後側に置かれることが望ましい。好ましくは、コンピュータの重要部分（重要パーツ）をダストなどの外部環境から保護するために、ヒンジを介してカバーを装着することができる。
【００３７】
コンピュータの重要部分には、ディスクドライブをはじめとする、入出力デバイスが含まれる。本発明の好ましい実施形態として、前記カバー１３は、コンピュータの前記重要部分を覆うのに十分な大きさを持つようにし、ガイドレールとヒンジにより取付けられるようにする。
【００３８】
図１Ｂは、本発明におけるマウスラックのヒンジを説明するための拡大された断面図である。カバー１３は、ガイド１５によって案内されて開かれる。
【００３９】
ガイド１５は、円弧状のヒンジ１４を組み込むことができる構成となっている。前記ヒンジ２４の一端にはストッパ２４が設けられ、前記ヒンジ２４の他端側には半円形状のラッチ１４Ａが形成されている。
【００４０】
球体２５とスプリング２６とがガイド１５に装着され、キャップ２７によって包封されている。この球体２５は、ヒンジ２４に対して、適当な復元力を加えている。
【００４１】
キャップ２７にネジ構造が形成されている場合、球体２５の前記復元力を調整することが可能である。
【００４２】
したがって、前記カバーは、閉じられた状態の場合には、球体２５がラッチ１４の位置に嵌り、前記カバーは垂直の状態で維持される。また、ガイド１５の側面にストッパ２４が接触することによって、カバーは、水平の状態で、完全に開かられた状態となる。
【００４３】
コンピュータのユーザは、カバー１３を開き、マウスラック１２をハウジングから引き出すことによってマウスの操作を行うことができる。ユーザは、マウスラック内のマウスの使用を終了するときには、マウスラック１２をハウジング内に押し入れて、カバー１３を垂直に閉じることによって、ダストがハウジング内に進入することを防止することができる。
【００４４】
図２Ａおよび図２Ｂは、本発明におけるコンピュータの内蔵型マウスラックに関する第１の実施形態を説明する概略図である。
【００４５】
図２Ａは、内蔵型マウスラック２１０がコンピュータ本体から完全に引き出された場合の状態を示す概略図である。
【００４６】
マウスＭを収容する内蔵型マウスラック２１０は、並進動作によって、ハウジング２００から引き出されれてオープン状態となり、ハウジング２００に押し入れられてクローズド状態となる。
【００４７】
図２Ｂは、内蔵型マウスラック２１０がハウジング２００の内部に置かれている場合の状態を示す概略図である。内蔵型マウスラック２１０の並進動作の駆動力は、スプリングによる復元力、または電気モータによる電気的な駆動力によって提供することができる。
【００４８】
図３Ａ〜図３Ｄは、本発明の内蔵型マウスラックの第２実施形態を示す概略図である。ハウジングから引き出された内蔵型マウスラック２１０の上面図である図３Ａが参照されるように、マウスラック２１０とハウジング２００とはスプリング２３０によって接続されている。
【００４９】
マウスラック２１０の背部側には、マウスラック２１０がハウジング内に押し戻された場合にハウジングにマウスラック２１０を固定するためのオス型ラッチ２１０が形成されている。加えて、このオス型ラッチ付きのマウスラック２１０を保持するために、ハウジング２００の垂直方向の内面にはメス型ラッチ２２０が形成されている。
【００５０】
ハウジング２００から外へマウスラック２１０を押し出そうとする復元力が、マウスラック２１０とハウジング２００間に接続されたスプリング２３０によって生じている。
【００５１】
図３Ｂは、本発明のマウスラック２１０の動作を示すためのマウスラックの底面側から見た概略図である。本発明の好ましい実施形態として、ガイドレール２６０がマウスラック２１０の底面側に取付けられている。
【００５２】
ガイドレール２６０は、ハウジング２００内に設けられて円形回転手段付きのマウスラックが並進動作するためのガイドとして機能する。本発明の好ましい実施形態として、ハウジング２００内に設けられたガイドレール２６０の表面を鋸歯形状とすることができる。
【００５３】
また、前記円形回転手段の好適な実施形態として、鋸歯を有するホイールを使用することができる。さらに、ハウジングの側面に設けられたスプリング２３０は、プーリー２４０を介してマウスラック２１０に接続されている。
【００５４】
並進動作モードでは、スプリング２３０に復元力は、マウスラック２１０を前進させ、また後進させる。
【００５５】
図３Ｃは、マウスラック２１０がハウジング２００から引き出された場合の状態を示す側面図である。図３Ｃが参照されるように、マウスラック２１０は、スプリング２３０の復元力によってハウジング２００から引き出される一方、プーリー２４０の抵抗力によってハウジングから完全に脱落することが防止されている。
【００５６】
このように、コンピュータのユーザは、ハウジング２００から引き出されたマウスラック２１０のマウスラック面上で、マウス（図示していない）を動かしたり、クリック操作を行うことが可能である。本発明の好ましい実施形態として、ダンパ手段（damping means）をマウスラック２１０のガイドレール２６０に加えることによって、スプリング２３０の強力な復元力による急激な動作を防ぐことができる。
【００５７】
図３Ｄおよび図３Ｅは、それぞれ、マウスラックがハウジング２００に挿入されている場合の上面および側面から見た概略図である。コンピュータユーザがマウスの使用を終了し、マウスをハウジング２００へ収容しておきたい場合、ユーザは、マウスラック２１０を図中のＢ−Ｂ'軸方向に押す。
【００５８】
この場合、ハウジング２００内にマウスラックを押し戻すために、マウスラックに取り付けられているスプリング２３０の復元力に対抗する所定のレベルの力が加えられる。
【００５９】
コンピュータユーザは、マウスラックの背面側にあるオス型ラッチがハウジング２００にあるメス型ラッチ２１０に接続されるまで、マウスラック２１０をＢ−Ｂ'軸方向に押し戻さればならない。この場合、マウスラック２１０は、前記復元力に対抗してハウジング２００内に固定された閉状態になる。
【００６０】
好ましくは、メス型ラッチ２２０は、噛み合いピンと、スプリングと含んでおり、先に述べたスプリングの復元力に打ち勝ってマウスラック２１０を保持するのに十分な程度にしっかりと当該噛み合いピンが前記オス型ラッチと噛み合わされる。
【００６１】
この場合、復元力は、スプリング２３０の弾性力によって供給されるとともに、当該復元力と、メス型ラッチ２２０とオス型ラッチとが接続されている力とが釣り合う。
【００６２】
一方、コンピュータユーザが、マウスラック内でマウスを使用したい場合には、Ｂ−Ｂ'軸方向にマウスラックを押すといった僅かな力を加えるだけでよい。この結果、メス型ラッチはオス型ラッチ２２０から脱着され、マウスラック２１０は、スプリング２３０の復元力によってハウジング２００から引き出される。
【００６３】
本発明の好ましい実施形態として、トグルスイッチがラッチ２２０および２２１として使用される。
【００６４】
図４Ａおよび図４Ｂは、本発明におけるコンピュータの内蔵型マウスラックに関する第３の実施形態を説明する概略図である。図３Ａおよび図３Ｂに示される第２実施形態は、スプリングを備えた構造に関するものであったが、第３実施形態は、マウスラックを並進動作するために電気モータを用いるといった特徴を有する。
【００６５】
図４Ａを参照すると、マウスラック３１０を図中のＣ−Ｃ'方向に移動するための電気モータ３４０と、駆動回路３３０とが表されている。電気モータ３４０のトルクは、マウスラック３１０の側面に取付けられたガイドレール３６０に噛み合わされてマウスラックの並進動作を案内する鋸歯付きホイール３５０に対して伝達される。
【００６６】
コンピュータユーザが、マウスラック３１０の前面にあるスイッチボタンを押すと、電気信号がマウスラック駆動バス３２４を通じて駆動回路３３０の電源をオンする。そして、電気モータ３４０は、マウスラック３１０がハウジング３００から引き出されるように鋸歯付きホイール３５０にトルクを加える。
【００６７】
したがって、マウスラックは、ガイドレール３６０の案内にしたがい、ハウジング３００から引き出される。この場合、マウスラック３１０が完全にハウジング３００から脱落してしまうことを防止するためには、マウスラックが所定の位置に到達したときに、電源をオフする手段を設けておくことが望ましい。
【００６８】
本発明の好適な実施形態として、ストッパスイッチ３２１とストッパ３２３とが使用される。スライド式のマウスラック３１０の引き出し動作が開始されて、所定の位置に達した場合には、マウスラック３１０に設けられたストッパスイッチ３２１と、ハウジング３００に設けられたストッパ３２３とが揃う。
【００６９】
ガイドレール３６０の案内にしたがって電気モータ３４０によって外側方向に移動するマウスラックに対して、ストッパスイッチ３２１が取付けられているので、マウスラック３１０がハウジング３００から外へ移動するのに伴って、ストッパスイッチ３２１もＣ−Ｃ'方向に移動する。
【００７０】
そして、ストッパスイッチ３２１とストッパ３２３とが揃う場合において、ストッパ３２３は、マウスラック３１０がハウジング３００から所定のレベルまで引き出されれた後にさらにマウスラック３１０が不必要に右側へと並進することを防止する手段として機能する。
【００７１】
この時、停止する力に対応する抗力がストッパスイッチ３２１に加えられて、電源供給がオフになる。したがって、もはや電気モータの鋸歯付きホイール３５０にトルクが供給されなくなり、マウスラック３１０は、それ以上、ハウジング３００から外側へ移動することを中止する。
【００７２】
上述したトグルスイッチ３２１とストッパ３２３との同様の原理を用いることによって、マウスラックがハウジング３００へ戻された場合についても、モータへの電力供給を中断することができる。
【００７３】
したがって、マウスラック３１０が完全にハウジング３１０内に収容された後であるにもかかわらず、モータが空回りすることを防止することが可能である。コンピュータユーザがコンピュータの使用を終了し、マウスをマウスラック３１０内に収容したい場合には、ユーザがマウスラック３１０の前面にあるスイッチボタン３２５を押す。
【００７４】
この結果、駆動回路３３０に電力が供給され、マウスラックがガイドレール３６０による案内にしたがって図中のＣ−Ｃ'方向に沿って左側へ引き戻されるように、モータはトルクを供給する。
【００７５】
マウスラックが所定の位置に到達したときに、他のストッパスイッチ３２０がストッパ３２０に出会うことになり、ストッパスイッチ３２０はトグルオフされる。
【００７６】
その結果、電気回路３３０およびモータ３４０への電力供給は遮断され、さらに後進しようとするモータの空回りを防止することができる。
【００７７】
図５Ａ〜図５Ｃは、本発明の他の実施形態を説明するための概略図である。図５Ａが参照されるように、トラックボール４１０は、表面、すなわちマウスラックの上に備えられる。図５Ｂが参照されるように、タッチパッド４２０はマウスラックの上に備えられる。さらに、トラックポイント４３０は図５Ｃに示されている。
【００７８】
上記実施形態にしたがって、本発明を説明し、記述したが、当該技術分野の熟練者による、修正、省略、および付加は、本発明の思想と範囲を逸脱しない限度内で行うことが可能であるものとする。
【００７９】
したがって，本発明は、上述した特定の実施形態に限定されることなく、特許請求の範囲に記述された発明に包含される範囲または等価な範囲内で実施されるすべての実施形態を含むものである。
【図面の簡単な説明】
【図１】図１Ａおよび図１Ｂは、本発明におけるコンピュータの内蔵型マウスラックに関する第１の実施形態を説明する概略図である。
【図２】図２Ａおよび図２Ｂは、本発明におけるコンピュータの内蔵型マウスラックに関する第２の実施形態を説明する概略図である。
【図３】図３Ａ〜図３Ｅは、発明におけるコンピュータの内蔵型マウスラックに関する第２の実施形態を説明する詳細な図である。
【図４】図４Ａおよび図４Ｂは、本発明におけるコンピュータの内蔵型マウスラックに関する第３の実施形態を説明する概略図である。
【図５】図５Ａ〜図５Ｃは、本発明におけるトラックボール、トラックパッド、およびトラックポイント用の内蔵型ラックの好ましい実施形態を説明する概略図である。
【図１Ａ】
0003619780.tif 000002
【図１Ｂ】
0003619780.tif 000003
【図２Ａ】
0003619780.tif 000004
【図２Ｂ】
0003619780.tif 000005
【図３Ａ】
0003619780.tif 000006
【図３Ｂ】
0003619780.tif 000007
【図３Ｃ】
0003619780.tif 000008
【図３Ｄ】
0003619780.tif 000009
【図３Ｅ】
0003619780.tif 000010
【図４Ａ】
0003619780.tif 000011
【図４Ｂ】
0003619780.tif 000012
【図５Ａ】
0003619780.tif 000013
【図５Ｂ】
0003619780.tif 000014
【図５Ｃ】
0003619780.tif 000015